(57)【特許請求の範囲】
【請求項１】
中空ハウジングおよび１つ以上のタブを具備する、スティックタイプの製品のホルダーカップであって、
前記中空ハウジングは、スティックタイプの製品の基部を受け入れるように構成されており、内面と外面を備えた壁を有するとともに、前記壁が１つ以上の穿孔を含んでおり、
前記各タブは、前記１つ以上の穿孔のそれぞれの内部に回動可能に取り付けられており、
前記１つ以上のタブのそれぞれが、前記スティックタイプの製品がホルダ内に挿入されるのに干渉しない第１開位置を占有することができ、かつ、
前記１つ以上のタブのそれぞれが、前記第１開位置から第２掛止位置へと、前記ハウジングの中央に向かって回動することができ、該第２掛止位置において、前記タブが前記ハウジング内の前記スティックタイプの製品を、前記基部よりも上の位置で、前記ハウジング内のスティックタイプの製品の基部を保持するのに十分な段階まで刺衝し、
前記各タブは、該タブが前記第１開位置にあるときに前記中空ハウジングの前記外壁から突出したカム表面を有するとともに、前記カム表面は、前記タブが前記第２掛止位置のときに前記中空ハウジングの前記内壁に嵌合する切欠きを有することを特徴とする、スティックタイプの製品のホルダーカップ。
【請求項２】
前記ホルダーカップ内にスティックタイプの製品を載置することを特徴とする、請求項１記載のスティックタイプの製品のホルダーカップ。
【請求項３】
前記タブが前記スティックタイプの製品を刺衝して所定の位置に掛止したことを特徴とする、請求項２記載のスティックタイプの製品のホルダーカップ。
【請求項４】
前記スティックタイプの製品は、口紅、リップクリーム、除臭剤、発汗抑制剤、固体香水、コンシーラ、メーキャップファンデーション、アイシャドー、ほお紅、にきび処理製品、又は日焼け止め剤であることを特徴とする、請求項２記載のスティックタイプの製品のホルダーカップ。
【請求項５】
前記ホルダーカップがプラスチック製であることを特徴とする、請求項１記載のスティックタイプの製品のホルダーカップ。
【請求項６】
前記ホルダーカップがアセタールであることを特徴とする、請求項５記載のスティックタイプの製品のホルダーカップ。
【請求項７】
スティックタイプの製品が前記ホルダーカップ内に配置される前に、前記ホルダーカップをケース中に組付けることを特徴とする、請求項１記載のスティックタイプの製品のホルダーカップ。
【請求項８】
前記ケースは、前記中空ハウジング上の前記タブと芯合わせするように前記ケースに内設した１つ以上のカムを具備することを特徴とする、請求項７記載のスティックタイプの製品のホルダーカップ。
【請求項９】
スティックタイプの製品と、
前記スティックタイプの製品を格納するホルダーカップと、
を具備するケースであって、前記ホルダーカップは、
内面と外面を備えた壁であって、１つ以上の穿孔を含む前記壁を有する中空ハウジングと、
各々のタブを１つの穿孔内に軸着した１つ以上のタブであって、前記タブは、切欠きを備えたカム表面を有するとともに、前記切欠きは、前記中空ハウジングの前記内壁に掛止し、前記タブが前記スティックタイプの製品を刺衝する、前記１つ以上のタブと、
を具備することを特徴とするケース。
【請求項１０】
前記ケースは、前記中空ハウジング上の前記タブと芯合わせするように前記ケースに内設した１つ以上のカムを具備することを特徴とする、請求項９記載のケース。
【請求項１１】
前記スティックタイプの製品は、口紅、リップクリーム、除臭剤、発汗抑制剤、固体香水、コンシーラ、メーキャップファンデーション、アイシャドー、ほお紅、にきび処理製品、又は日焼け止め剤であることを特徴とする、請求項９記載のケース。
【請求項１２】
前記ホルダーカップがプラスチック製であることを特徴とする、請求項９記載のケース。
【請求項１３】
前記ホルダーカップがアセタールであることを特徴とする、請求項12記載のケース。
【発明の詳細な説明】
発明の分野
本発明は、ホルダーカップからスティックタイプの製品が離脱することを防止するスティックタイプの製品のホルダーカップである。更に詳細には、本発明は、ケースが衝撃を受けたとき又はスティックタイプの製品自体が収縮したときにスティックタイプの製品がホルダーカップから離脱することを防止すべくスティックタイプの製品を所定の位置に掛止するホルダーカップに関する。
発明の背景
スティックタイプの製品を夫々のケース中に納置する場合、ホルダーカップでスティックタイプの製品を所定の位置に保持する。スティックタイプの製品をホルダーカップ中に保持するための手段は、スティックタイプの製品と、ホルダーカップの内壁と、の間の摩擦ばめを介する。かかる２つの構成要素であるホルダーカップとスティック製品は、適正な摩擦ばめが得られるように定寸している。スティックタイプの製品をホルダーカップ中に保持するこの手段に付随する問題は、スティックタイプの製品の寸法がやがて変化し、これによってホルダーカップとスティックタイプ製品の間の摩擦ばめが不充分になり、ケースが衝撃を受けている間、スティックタイプの製品を所定の位置に保持しきれないということである。スティックタイプの製品の寸法は、成型後又はホルダーカップへの装填後にスティックタイプ製品を冷却するという方法を起因にして変化し、これによって冷却で製品が収縮する。
また、スティックタイプ製品の配合物内における揮発性成分の使用の増大に伴い、収縮問題が懸念となる。かかる揮発性成分は蒸発しやすいので、スティックタイプの製品を収縮させる。この収縮が生じると、一度は適正であったホルダーカップとスティックタイプ製品の間のはめあいは、もはや、スティックタイプの製品を所定の位置に保持するほど充分ではない。一旦、収縮が発生して、ホルダーカップとスティックタイプ製品の間のはめあいが不充分でスティックタイプの製品を所定の位置に保持しきれない段階まで至ると、ケースが軽い衝撃を受ければスティックタイプの製品が脱離する。一旦、スティックタイプの製品がホルダーカップから離脱してしまうと、事実上、消費者にとって無用である。
現在のホルダーカップは、上記問題を多様な方法で解消することを図るものである。カップによっては、ホルダーカップの底部から突出したホルダー壁を提供するものがあり、このため、スティックタイプの製品をホルダーカップに挿入すると、スティックタイプの製品とホルダーカップの間の接触表面積が比較的大きくなる（ドイツ特許第3319031号参照）。接触表面積の増大という同じ前提に沿って、Fuglsang−Madsenらの米国特許第3,175,680号及びMooreの米国特許第4,579,134号に開示しているように、長手方向に延出する内側リブをホルダーカップに付設する。米国特許第4,820,070号は、長手方向に延出する内側リブがありつぎ型（dove−tail design）であり、更に接触面積を拡大するとともにスティックの収縮が発生した後にスティックを所定の位置に保持するようになっていると記載している。
相当量の揮発性成分を含有するスティック製品の新しい配合物の場合、ホルダーカップの上記構成によって生じる摩擦力が不充分であり、スティックの収縮が発生して次にケースが衝撃を受けた後にスティック製品を所定の位置に保持しきれないということが分かった。この不充分な摩擦力は、スティックが収縮した後に発生するが、この理由は、スティックをホルダーカップに挿入するときに長手リブ方式のホルダーカップによってスティック製品内に溝を事前に形成するからである。次に、スティック製品が収縮してこの事前形成の溝から離間し、これによって接触面積と摩擦力が減少低下する。
BennettのPCT国際公開公報第WO96/32031号は、口紅を所定の位置に保持すべく口紅に挿入するスパイクの使用を採用したホルダーカップに対応している。このスパイクは、スナップリング又はアームのどちらかに装着する。両方の態様とも、スパイクをホルダーカップ中の穿孔に貫通させることができ、これによって口紅を刺衝する。この種のホルダーカップは、スティック製品を収縮後に所定の位置に保持するのに効果的であるが、その理由は、このスティック製品をホルダーカップに挿入するときに溝を形成しないからである。上記各々の態様は、口紅をホルダーカップ内の所定位置に保持するのに有効ではあるが、追加のアセンブリが必要であり、あるいは、既知のホルダーカップ成形法で製造するには困難な場合がある。
Vaupelの米国特許第5,560,727号は、口紅の塊を所定の位置に保持しやすくするためにリップスティックホルダーに載設したスプリング要素の使用を開示している。当該スプリング要素は、リップスティックホルダーをケース中に引き込みながら口紅に圧入され、リア係合取っ手を形成する。この構造の欠点は、リア係合取っ手を口紅に圧入した後にリア係合取っ手が所定の位置に掛止しないことである。
本発明の目的は、ケースを衝撃にさらしたときにスティックタイプの製品を所定の位置に固定するホルダーカップを提供することにある。
さらに本発明の目的は、製造が簡単なホルダーカップを提供することにある。
さらに本発明の目的は、スティックタイプの製品の寸法が変わった後でもこのスティックタイプの製品を所定の位置に保持し続けるホルダーカップを提供することにある。
さらに本発明の目的は、ケースを殆ど又は全く改造せずに既存のケース構成要素と併用することができるホルダーカップを提供することにある。
さらに本発明の目的は、包装の美観を損なうことを回避する比較的簡単な装置であるホルダーカップを提供することにある。
発明の要約
本発明は、スティックタイプの製品を受け入れるように構成した中空ハウジングであって、１つ以上の穿孔を含む壁を有する前記中空ハウジングを具備する、スティックタイプの製品のホルダーカップである。第１開位置又は第２掛止位置を占有することができるタブであって、前記タブは、前記中空ハウジングの前記壁の外側から突出する外側カム面を有するとともに、前記外側カム面は、前記タブが第２掛止位置のときに前記中空ハウジングの前記壁に嵌合する切欠きを有する、前記タブを穿孔内に軸着している。
前記スティックタイプの製品を前記ホルダーカップ内に固定するために、先ずこのスティックタイプの製品を前記中空ハウジングに挿入する。前記スティックタイプの製品は、この製品の挿入端部が前記タブの下の位置になるように前記中空ハウジング中に設ける必要がある。次に、前記タブを前記中空ハウジングの外側のカムと接触させることによって前記タブをホルダーカップの中心に向かって回動させる。次に、前記タブがスティックタイプの製品を刺衝して所定の位置に掛止し、こうしてスティックタイプの製品の離脱を防止する。
【図面の簡単な説明】
本発明の更なる目的や特徴及び図面は、以下の図面を使って後述する実施態様と照らし合わせて更によく理解できるであろう。
図1Aは、本発明のタブとホルダーカップの一態様の斜視図である。
図1Bは、図1Aに図示したタブの正面図である。
図1Cは、図1Aのタブの断面図である。
図2Aは、本発明のタブとホルダーカップの別の態様の斜視図である。
図2Bは、図2Aに図示するタブの正面図である。
図2Cは、図2Aのタブの断面図である。
図3Aと図3Bは、カムによってタブが動かされ、タブがスティック製品を刺衝して所定の位置に掛止するホルダーカップの作用を示す。
発明の詳細な説明
図1Aから図1C及び図2Aから図2Cは、ケースが衝撃を受けたときにスティックタイプの製品がホルダーカップから離脱することを防止するホルダーカップ１を図示する。この離脱防止は、スティックタイプの製品を刺衝してスティックタイプの製品を所定の位置に保持する各タブ２を使用することによって達成される。
ホルダーカップ１は、スティックタイプの製品を受け入れるように構成した中空ハウジング４から成る。この中空ハウジング４は、中空ハウジング４の壁に１つ以上の穿孔６を含む。
各々の穿孔中に１つのタブ２を、可撓性部材８を介して取り付けるとともに、前記可撓性部材８は、タブ２を第１位置又は第２位置の間に回動させることができる。タブ２の形状は、側面から見ると、略楔子の形であり、タブ２の外面がハウジング４の外壁から突出してカム面10を形成し、このカム面10が外側カム12と相互作用し、こうしてタブ２を可撓性部材８の個所で回動させることができる。通常、外側カム12は、ホルダーカップを格納するケースに内設している。タブ２は、第１位置で「開」になるように設けているので、図1C、図2C、及び図3Aを参照すればわかるように、スティックタイプの製品を中空ハウジング４に挿入しながらタブ２がこのスティックタイプの製品に干渉することはない。次に、図3Bを参照すればわかるように、タブ２のカム面10と外側カム12を相互作用させることによってタブ２を第２位置に回動させ、タブ２がスティックタイプの製品を刺衝して所定の位置に「掛止」する。タブ２の掛止は、タブ２のカム面10中の切欠き14によって達成され、タブ２を第２位置に回動すると中空ハウジング４の壁が切欠き14と嵌合する。タブ２によるスティックタイプ製品の刺衝、及び、掛止機能は、スティックタイプの製品がホルダーカップから離脱することを防ぐ働きをする。スティックタイプの製品を刺衝するタブ２のエッジは、このスティックタイプの製品を折損又は破損せずにこの製品を所定の位置に保持するのに十分な段階までタブ２がスティックタイプの製品に挿入できるように定寸している。通常、タブ２の先端は、約1.0ミリメートルから約3.0ミリメートルの距離だけスティックタイプの製品に挿入する。
可撓性部材８は、押込むとタブ２が回動できるぐらい充分に薄肉である必要があるとともにタブ２の自重でタブ２が回動しないように十分に堅固である必要がある。可撓性部材８の寸法は、選択した材料に左右され、所望の剛性と柔軟性の間のバランスが適正になるようにしている。使用する適宜な寸法は、当業者には明白である。
スティック製品のホルダーカップを製造する際に使われる共通の材料は、ポリエチレン、ポリプロピレン、アセタール、ポリカーボネート、塩化ポリビニール、ポリエチレン・テレフタラート、アクリロニトリル・ブタジエン・スチレン、スチレン・アクリロニトリル、スチレン等を含む。ホルダーカップの材料の選択は、先ず、対象のスティック製品との適合性と、選択した材料の製造し易さと、によって導かれるものであり、かかる判定は当業者の範囲内である。
好ましい態様において、ホルダーカップはアセタールである。アセタールは、可撓性部材に相当量の柔軟性と剛性を付与する厚さで容易に成型することができる材料である。また、アセタールによって、多数の製品に対する高度な化学的抵抗力が得られる。
本発明は、選択した材料に応じて多数の既知方法で形成することができる。例えば、ホルダーカップを可撓性材料で形成する場合、適宜な製法は射出成形法である。射出成形法を本発明の好ましい製造方法として使用すると、前記タブと前記可撓性部材と前記ハウジングとを１つの一体ユニットとして形成することができる。このため、結局は同じである、複数部分からなるホルダーカップに伴うであろう組立てコストを削除することによって製造コストが下がる。
明確化のため、本発明を口紅と関連して用いるものとして説明する。本例は単なる例示にすぎず、決して本発明を口紅に限定するものではない。本開示を、限定されるものではないが、除臭剤、リップクリーム、メークキャップファンデーション、クリア・コズメティック・スティック、にきび止めスティック等、を含むスティック製品、と共に用いることができることは、当業者には明白である。
口紅の成型と組立てには多数の工程を伴う。先ず、口紅の溶融塊を鋳型に注入し、冷却させる。２番目に、この鋳型の一部分を取り除き、これによって口紅の基部を露出させる。次に、あらかじめ組み立てられた口紅ケースを設ける。
通常、この口紅ケースは、ホルダーカップをケース内の一番上の位置に有するスイベルタイプである（即ち、この口紅ケースが口紅を格納するとともに前記口紅を前記口紅ケースから最大量の口紅が露出する位置に回転させる場合にホルダーカップが置かれる位置に、該ホルダーカップがある）。この口紅ケースは、ホルダーカップが口紅の基部と芯合わせするように載置し、次に、口紅の基部がホルダーカップに圧入されるように口紅ケースを駆動する。最後に、ホルダーカップを口紅ケースに押入し、カバーを口紅ケースに覆設する。
好ましい態様において、本発明のホルダーカップは、あらかじめ組み立てられており、このスイベルタイプの口紅ケース中に納置する。この口紅ケースを組み立てる場合、ホルダーカップは、口紅を受け入れることができるように口紅ケース内の一番上の位置にある。図3Aと図3Bに示すように、ホルダーカップがこの位置にある間に、口紅ケースとタブ２を嵌合させ、口紅を中空ハウジング４に挿入させるときにタブ２が口紅と干渉することがないようになっている。
次に、口紅の基部がタブ２の下の位置に達する段階まで口紅を中空ハウジング４に挿入する。上記段階まで口紅を挿入することは重要であり、その理由は、口紅を少なくとも上記段階まで挿入しないと、タブ２が口紅を刺衝することができる位置に口紅が達しないからである。
口紅ケースの内側には、タブ２のカム面10と相互作用するカム12を設けている。カム12とタブ２のカム面10のかかる相互作用は、ホルダーカップを口紅ケースに挿入させながら発生する。カム12の材料がタブ２を内側方向に変形させるように形削りして形成した材料であるということは、口紅ケース製造業の当業者には明白である。例えば、スイベルタイプのケースでは、カム12をこのケースの内側スリーブに載設する。カム12の形状は、ホルダーカップを口紅ケースに挿入させるときタブ２が係合する出っ張り又は傾斜の形状にすることができる。タブ２がカム12に係合するにつれて、タブ２を中空ハウジング４の中心に向かって回動させ、口紅を刺衝した後にタブ２を所定の位置に掛止させる。
別の態様では、ホルダーカップを事前に口紅ケース中に組付けない。この態様では、口紅を通常の方式で成型するとともに、本発明のホルダーカップを口紅の基部に覆設し、この後に初めてホルダーカップを口紅ケース中にあらかじめ組付けておく。ホルダーカップを口紅の基部に覆設した後に、タブ２を内側方向に回動させるので、上述した通りにタブ２が口紅を刺衝しながら所定の位置に掛止する。このタブ２の回動を指を使って手動で行ったり、又は、スリーブの側面がカムとして機能してタブ２のカム面10と係合するようにスリーブをホルダーカップに覆設したりすることができる。口紅上の所定位置のホルダーカップの場合、口紅を鋳型から抜脱してケース内に載置することができる。
本発明のこの態様は、使い捨てタイプ又は再充填タイプのケースとして特に有用であり、ホルダーカップをケース内に着脱自在に固定するように構成したので、ホルダーカップとスティック製品は、ユニットとして取り除くことができるとともに廃棄することができ、且つ、新しいユニットに交換することができるカートリッジを形成する。再充填式ケースは、引用することにより本願の一部を構成する英国特許第731,013号に記載のようなものがある。本発明を再充填式ケース内の使用に適合させるために必要な改造は、当業者には明白である。
【図１Ａ】
0003593135.tif 000002
【図１Ｂ】
0003593135.tif 000003
【図１Ｃ】
0003593135.tif 000004
【図２Ａ】
0003593135.tif 000005
【図２Ｂ】
0003593135.tif 000006
【図２Ｃ】
0003593135.tif 000007
【図３Ａ】
0003593135.tif 000008
【図３Ｂ】
0003593135.tif 000009